Podtech/llm-jp-corpus-v4-ja_patent huggingface dataset:
(57)【要約】      （修正有）【課類】小学生のかけ算の九九をもっとわかりやすく理解出来る様にカードに工夫をしたカードセットを提供する。【解決手段】各ケタの九九のカードを用意し、各カードには、そのＮケタに応じて縦Ｎケタ、横１０段のマスを作り、各マスには、１段目には１からＮケタの数を入れ、２段目には１＋Ｎから２Ｎ、３段目には１＋２Ｎから３Ｎ等の数字を入れ、Ｎケタ目がＮケタの九九算の答えとなるようにする。【選択図】図１
0003177503.tif 000002
【実用新案登録請求の範囲】
【請求項１】
小学生用の九九算の覚え方をカードにして、小学生にもっと九九算をわかりやすく出来る様に考えました。
【請求項２】
九九算の覚え方を、もっと勉強出来る様に問題集を学習帳みたいにして、一部格子にして九九算に自信がつくように考案しました。
【考案の詳細な説明】
【技術分野】
【０００１】本考案は、小学生が九九算をもっと理解出来る様にする為に、カードにしてわかりやすくする事に関する。
【背景技術】
【０００２】通常の九九算では、暗記しないといけないので間違って覚える場合もあったが、１００％に近い方法で九九算を理解出来る様に考案しました。
【考案の概要】
【考案が解決しようとする課類】
【０００３】従来の九九算では、九九算を九暗記しなくてはいけなかった。
【課題を解決するための手段】
【０００４】本考案は、九九算を理解出来る様に格子に１、２、３と順に図１に書いている。７ケタの九九算の最後の黒わくで囲っている場所が九九算の答えになり、小学生にわかりやすくしたものである。
【考案の効果】
【０００５】テスト中でも格子を書きその中に１、２、３と順に書いて行くと、テスト中でもカンニングにならずに合格点を取り、満点に近い点数を取る事が出来る。
【図面の簡単な説明】
【０００６】図１のである。
図２のである。
【符号の説明】
【０００７】▲１▼  Ａ  カードをまとめやすくする為の穴。
▲２▼  Ｂ  カードをまとめる為のひも。
（ひもは買って下さったお客様が各自つけてもらう）
▲３▼  Ｃ  ２ケタの九九のカード。
▲４▼  Ｄ  ３ケタの九九のカード。
▲５▼  Ｅ  ４ケタの九九のカード。
▲６▼  Ｆ  ５ケタの九九のカード。
▲７▼  Ｇ  ６ケタの九九のカード。
▲８▼  Ｈ  ７ケタの九九のカード。
▲９▼  Ｉ  ８ケタの九九のカード。
▲１０▼  Ｊ  ９ケタの九九のカード。
▲１１▼  Ｋ  練習用の格子だけ数字は勉強する時に子供が書くカード。
【図１】
0003177503.tif 000003
【図２】
0003177503.tif 000004
【手続補正書】
【提出日】平成24年3月21日(2012.3.21)
【手続補正１】
【補正対象書類名】実用新案登録請求の範囲
【補正対象項目名】全文
【補正方法】変更
【補正の内容】
【実用新案登録請求の範囲】
【請求項１】
右側に通常のかけ算を書き、左側に升形にして１０段で横に升の中に１、２、３、４、５、６、７と順に数字を書き入れる九九算のわかりやすいカード。
【請求項２】
上記のカードを学習ノートみたいに横にページをめくるようにした学習問題集とする九九算のわかりやすいカード。
【手続補正２】
【補正対象書類名】明細書
【補正対象項目名】０００６
【補正方法】変更
【補正の内容】
【０００６】
【図１】カード（例）７ケタの九九算を示している図案である。
【図２】上記のカードを側面から見た事を示している図案である。
【手続補正書】
【提出日】平成24年5月17日(2012.5.17)
【手続補正１】
【補正対象書類名】実用新案登録請求の範囲
【補正対象項目名】全文
【補正方法】変更
【補正の内容】
【実用新案登録請求の範囲】
【請求項１】
九九算を理解するためのカードセットであって、該カードセット中の各段のカードは１０行にわけられており、７の段のカード左部の１行目には、横に１から７までの数字が順に書き入れられ、２行目には、横に８から１４までの数字が順に書き入れられ、３行目には、横１５から２１までの数字が順に書き入れられ、４行目には、横に２２から２８までの数字が順に書き入れられ、５行目には、横に２９から〜３５までの数字が順に書き入れられ、６行目には、横３６から４２までの数字が順に書き入れられ、７行目には、横４３から４９までの数字が順に書き入れられ、８行目には、横に５０から５６までの数字が順に書き入れられ、９行目には、横に５７から６３までの数字が順に書き入れられ、１０行目には、横に６４から７０までの数字が順に書き入れられており、７の段のカード右部の各行には、それぞれ１行目から７×１＝７、７×２＝１４、７×３＝２１、７×４＝２８、７×５＝３５、７×６＝４２、７×７＝４９、７×８＝５６、７×９＝６３、７×１０＝７０の掛け算を書き入れられており、７の段のカードと同様に書き入れられた１から９の段のカードが横にページをめくるようにまとめられている事を特徴とするカードセット。
(57)【要約】      （修正有）【課題】歯間の広狭や使用するブラシの選択などを気にすることなく、１本だけで全ての歯間のブラッシングが可能な歯間ブラシを提供する。【解決手段】歯の隙間に広いところや狭いところがあっても、ブラシの太さが手元から先端方向に向かって次第に細くなる長めのブラシとすることにより、歯間の広狭にかかわらず、１本だけで程よくブラッシングできるように工夫した歯間ブラシ。【選択図】図１
0003177508.tif 000002
【実用新案登録請求の範囲】
【請求項１】
歯の隙間に広い所や狭いところがあっても、ブラシの太さが手元から先端方向に向かって次第に細くなる長めのブラシとすることにより、隙間の大小にかかわらず、１本だけで程よくブラッシングできるように工夫した歯間ブラシ。
【請求項２】
市販の歯間ブラシは芯となる針金の太さが均一であるため金属疲労の集中する柄の近傍で折損しやすく、ブラシそのものは使用可能であるにもかかわらず、廃棄しなければならないことが多い。
このような無駄を少なくするため、芯材がブラシの先端から柄に向かって徐々に太くなるよう製造し、折れにくく長持ちするように工夫した歯間ブラシ。
【考案の詳細な説明】
【考案が解決しようとする課題】
（１）歯間ブラシを使用する際、歯の隙間に大小があるため、適切な歯間ブラッシングをするためには大中小何本ものブラシが必要となり、面倒かつ費用も嵩む。
（２）その上、使っているうちに芯の針金が折損し、ブラシそのものはまだ使用可能であるにもかかわらず廃棄しなければならないことが多い。
【課題を解決するための手段】
（１）そこで先細で長めの歯間ブラシとすれば隙間の大小にかかわらず１本で快適なブラッシングができる。
すなわち狭い歯間は先端部分を、広い歯間は手元近くを、その他の部分では中間を使用すれば恰も大中小３本のブラシを使用したかのように、この１本で口中の歯間をすべてすっきりと清掃することができる。
使用中は歯間の大小を意識する必要はなく、ほどよい手ごたえを感じる部分を利用すればよいので便利である。
（２）また芯の折損は必ずと言ってよいほど柄の付近で発生するので、芯材を柄の方向に徐々に太くなるように製造すれば無駄な廃棄を回避し、製品寿命を延ばして購入費用を節約することができる。
【発明の効果】
上記の工夫により、歯間の広狭や使用するブラシの選択などを気にすることなく、１本だけで全ての歯間のブラッシングができ、また市販の品より長期間使用できるので便利、快適かつ費用の節約ができる。
【図面の簡単な説明】
【図１】柄の部分から先端にかけて徐々に細くなるよう製造した歯間ブラシの例である。
【図２】このブラシに使用する芯材の形状概念を示した図である。
【図１】
0003177508.tif 000003
【図２】
0003177508.tif 000004
【手続補正書】
【提出日】平成24年5月14日(2012.5.14)
【手続補正１】
【補正対象書類名】実用新案登録請求の範囲
【補正対象項目名】全文
【補正方法】変更
【補正の内容】
【実用新案登録請求の範囲】
【請求項１】
歯の隙間に広いところや狭いところがあっても、ブラシの太さが手元から先端方向に向かって次第に細くなる長めのブラシとすることにより、歯間の広狭にかかわらず、１本だけで程よくブラッシングできるように工夫した歯間ブラシ。
【請求項２】
歯間ブラシの芯が先端から柄に向かって徐々に太くなる形状を特徴とする請求項１記載の歯間ブラシ。
【手続補正３】
【補正対象書類名】図面
【補正対象項目名】全図
【補正方法】変更
【補正の内容】
【図１】
0003177508.tif 000005
【図２】
0003177508.tif 000006
(57)【要約】      （修正有）【課題】食事の際の食器の転倒を防止するための機能を持たせた食器を提供する。【解決手段】お盆には器の高台部Ａと同じ形状の溝Ｂを持ったレールを設置し、器の高台部外側をレールの溝と同じ形状にする。配善事には器の高台部をお盆のレール部に入れることにより、器が安定し、安心して食事が出来る効果がある。【選択図】図１
0003177504.tif 000002
【実用新案登録請求の範囲】
【請求項１】
器をお盆の上に固定させるための、お盆に器の高台と同じ形状の溝を持ったレールの設置。
【請求項２】
お盆に設置されているレールの溝と同様の形状をした器の高台部外側の断面形状。
【考案の詳細な説明】
【技術分野】
【０００１】本考案は、食事の際の食器の転倒を防止するための機能を持たせた食器（器とお盆）に関するものである。
【技術背景】
【０００２】従来より、食器の転倒を防止するものとしては、器の底部を大きく広げて重心位置を低くしたものがあるが、器を固定しているものはなかった。
【考案の概要】
【考案が解決しようとする課題】
【０００３】従来の食器には器を固定して転倒防止を計っているものはなく、食事の動作が不安定な幼児や腕などに障がいを持つ者、認知症のある高齢者などが食事の際に食器を転倒させ、火傷をしたり衣服やテーブル・床などを汚すことが多かった。
【課題を解決するための手段】
【０００４】上記課題を解決するために、次のような方法を用いている。
（イ）  器をお盆の上に固定させるため、お盆には器の高台（こうだい）と同じ形状の溝を持ったレールを設置する。
（ロ）  器の高台部（器の底部にある輪状の台）外側の断面形状をレールの溝と同様にする。
【考案の効果】
【０００５】考案は、上記のとおり構成されているので、食事の際に腕などが当たっても器を転倒させる心配がなく、安心して食事が出きるという効果がある
【図面の簡単な説明】
【０００６】
【図１】器の高台部とお盆のレールの断面形状を示した図である。
【図２】器をお盆のレールに設置した姿図である。
【図３】お盆に設置されたレールに器をセットするイメージ図である。
【考案を実施するための形態】
【０００７】考案を実施（製造）するための形態としては次のようになる。
（イ）  お盆の製造においては、通常レールも一体として制作することが可能
（ロ）  器においても高台部の形状は特殊なものではないので、ろくろ使用の場合でもこれまでの高台と同様の作成方法が可能。
【符号の説明】
【０００８】  １  Ａは器の高台部の断面形状
２  Ｂはお盆に設置するレールの断面形状
３  Ｃは器
４  Ｄはレール
【図１】
0003177504.tif 000003
【図２】
0003177504.tif 000004
【図３】
0003177504.tif 000005
【手続補正書】
【提出日】平成24年5月18日(2012.5.18)
【手続補正１】
【補正対象書類名】実用新案登録請求の範囲
【補正対象項目名】全文
【補正方法】変更
【補正の内容】
【実用新案登録請求の範囲】
【請求項１】
器の高台と同じ形状の溝を持ったレールを設置したことを特徴とするお盆。
【請求項２】
高台部外側がお盆に設置されているレールの溝と同様の形状であることを特徴とする器。
(57)【要約】      （修正有）【課題】ゴルフボールの所在位置を特定し確認できるゴルフボール及び表示機を提供する。【解決手段】ゴルフボールの中心部に、地球位置システム（ＧＰＳ）を装着する。ボールから発信された情報を受信する受信部を備える表示機に、ボールの位置を表示する。【選択図】図１
0003177510.tif 000002
【実用新案登録請求の範囲】
【請求項１】
円球（ボール）に、地球位置システム（以下ＧＰＳという）を装着する。ＧＰＳを装着した円球（ボール）は飛ばした場所で弾道の状況と円球（ボール）の所在と位置を特定し確認できる、ＧＰＳ付円球（ボール）である。
【請求項２】
円球（ゴルフボール）に、ＧＰＳ発信機能を装着した円球（ゴルフボール）を打ち出すと飛球したあと落下するが落下地点がどこでも、所在と位置を打った場所で確認できるＧＰＳ装着付円球（ゴルフボール）である。
【請求項３】
円球（ゴルフボール）に、ＧＰＳ発信機能を装着したＧＰＳ付円球（ゴルフボール）をＧＰＳ受信機能を装着した表示機でＧＰＳ付円球（ゴルフボール）の所在と位置を表示するので確認できる。そして表示機は携帯の小型から大型でもＧＰＳ付円球（ゴルフボール）の飛球する弾道と落下した所在を画面で見ることができる。
【考案の詳細な説明】
【技術分野】
【０００１】  本考案は、円球（ゴルフボール）の中心部にＧＰＳ装置を装着することにより円球（ゴルフボール）の所在位置を特定し確認できるＧＰＳ付円球（ゴルフボール）に関するものである。
【背景分野】
【０００２】  既存のゴルフナビは、ゴルフ場の各ホールの状況やバンカー林池等と、ゴルフボールと目標地点や旗までの距離が表示されるのですが、ゴルフボールを打ち飛球し落下したボールが何処に在るかわ表示できないのです。
【先行技術文献】
【考案の概要】
【考案が解決しようとする課題】
【０００３】  既存の円球（ゴルフボール）は飛球方向を目視し落下地点に行き探すことになる落下地点が林や雑草地に打ち込むと、見つけ出すのに苦労し時間も要するので見つけ出せないことがあるのです、体感も良く方向も良いと思っているのに見つから無いことで遅くなりがちです。
【課題を解決するための手段】
【０００４】  そこで、本考案は、以上の課題を解決すべく、円球（ゴルフボール）を打った場所で円球（ゴルフボール）が飛球し落下した所在と位置を知ることが出来る、ＧＰＳ機能を装着したＧＰＳ付円球（ゴルフボール）とＧＰＳ付受信機を提供することを目的とした。
【考案の効果】
【０００５】  本考案に係るＧＰＳ付円球（ゴルフボール）を打つ前からＧＰＳを装着しているので集中して競技ができる、ＧＰＳ付円球（ゴルフボール）を打ち飛球し落下地点に余裕をもって所在を確認できる。このことにより競技内容も良くなり競技者も満足できる。競技場の進行も良くなり、競技者が満足することにより利用頻競技場の進行も良くなり、競技者が満足することにより利用頻度が見込めるので経営的にも良くなることが期待できる。
【図面の簡単な説明】
【０００６】
【図１】本考案に係る地球位置システム（ＧＰＳ）装着円球（ゴルフボール）の一例を示す円球の断面図である。
【図２】本考案に係る地球位置システム（ＧＰＳ）装着円球（ゴルフボール）の上部を示す円球の平面図である。
【図３】本考案に係る地球位置システム（ＧＰＳ）装着円球（ゴルフボール）の打撃側面を示す円球の立面図である。
【考案を実施するための形態】
【０００７】  以下に、本考案に係る地球位置システム（ＧＰＳ）装着円球（ゴルフボール）の実施例を図１及至図３に基づいて説明する、本考案に係る地球位置システム（ＧＰＳ）付円球（ゴルフボール）の一例を示す図１及至図３において、５は本考案に係る円球（ゴルフボール）であり、１は中心部に地球位置システム（ＧＰＳ）を装着、２は地球位置システム（ＧＰＳ）を保護する粘弾性体、３は内部構成部材、４は表皮面部材である。
【０００８】  この地球位置システム（ＧＰＳ）装着の円球（ゴルフボール）５は、例えば、円球（ゴルフボール）５のその中心部に地球位置システム（ＧＰＳ）を装着した１とから構成されている。先ず、中心部の１は図略の円球の形状を有しており、このまわり２は衝撃から保護する粘弾性体で覆っている、それに合わせ内部構成部材３は、１の更なる衝撃の保護材として２と相互に補完しあいながら地球位置システム（ＧＰＳ）の性能を保持し保護している。なを、外周部４は、打撃と落下による衝撃と摩耗に対応する性能を有する表皮面部材で構成されている。
【０００９】  また、以上の図１の５円球（ゴルフボール）に装着している１の地球位置システム（ＧＰＳ）を２３４は、打撃と落下による衝撃と摩擦等に対応する性能を有した部材で保護している、円球（ゴルフボール）の本来あるべき飛距離や打撃の感触等の要求性能を２３４の材質の組み合わせにより品質と性能を確保する５円球（ゴルフボール）である。
【００１０】  なを、以上の実施例においては、地球位置システム（ＧＰＳ）装着円球（ゴルフボール）を例示したが、本考案はこれに限定されるものではなく、他の円球に装着しても同様の利点が得られることはもちもんである。
【００１１】  さらに、以上の実施例においては、地球位置システム（ＧＰＳ）を装着した円球（ゴルフゴール）を例示したが、この円球（ＧＰＳ）の利点である所在を確認できることで、紛失することが減少し回収が良くなるのです。他の円球にも地球位置システム（ＧＰＳ）を装着して有れば所在を特定でき回収することが出来るのです。使用している円球全部を回収することは可能となり、地球環境保全リサイクル再生を備えた円球（ＧＰＳ装着）なのである。
【符号の説明】
【００１２】  １  円球（ゴルフボール）の断面で中心部に装置した地球位置システム（ＧＰＳ）
２  円球（ゴルフボール）の中心部に装置した地球位置システム（ＧＰＳ）を保護する      粘弾性体
３  円球（ゴルフボール）の中心部に装置した地球位置システム（ＧＰＳ）を保護する      ことと飛球距離の重要な内部構成部材
４  円球（ゴルフボール）の外周を覆っている表皮面部材
５  円球（ゴルフボール）の外観
６  円球（ゴルフボール）の上部平面図
７  円球（ゴルフボール）の打撃立面図
【図１】
0003177510.tif 000003
【図２】
0003177510.tif 000004
【図３】
0003177510.tif 000005
【手続補正書】
【提出日】平成24年5月16日(2012.5.16)
【手続補正１】
【補正対象書類名】実用新案登録請求の範囲
【補正対象項目名】全文
【補正方法】変更
【補正の内容】
【実用新案登録請求の範囲】
【請求項１】
ボールの中心部に地球位置システムを装着したことを特徴とするボール。
【請求項２】
前記ボールをゴルフボールとしたことを特徴とする請求項１記載のボール。
【請求項３】
請求項１または請求項２記載されたボールから発信された情報を受信する受信部を備え、前記ボールの位置を表示することができる表示機。
(57)【要約】      （修正有）【課題】プラグ側面に凹部を設ける事により、ドレン本体との間に空洞部が設けられ、通水路を確保することにより、消雪ポンプを停止させることなく、泥抜き作業を行う事ができる消雪ポンプ用の砂抜きプラグを提供する。【解決手段】ドレン本体１上部の天ゴム２をはずし、専用工具（ドレンアタッチメント）を、プラグ上面の四角部分４に挿入し、反時計廻りに回す。これにより、プラグ側面に設けられている凹部５を回転・上昇させ、泥抜きとしての通水路を確保する。【選択図】図３
0003177505.tif 000002
【実用新案登録請求の範囲】
【請求項１】
ドレン本体が金属性であるのに対し、プラグは樹脂性である。
【請求項２】
形成されたプラグ側面に凹部を３若しくは４か所設けている。
【請求項３】
形成されたプラグ側面の凹部比率は全体の円周に対して、５０％から５５％の範囲とする。
【請求項４】
形成されたプラグねじ部長さは４．５ｃｍから６．０ｃｍの範囲とする。
【考案の詳細な説明】
【技術分野】
【０００１】本考案は消雪ポンプを停止させる事なく、配管内に貯まった泥等を抜くプラグに関すものである。
【背景技術】
【０００２】従来は消雪ポンプ運転直前において、止水筒体からプラグを一旦取り外し、送水パイプに通水し、泥等を外に放出して一度消雪ポンプを停止させて、プラグを取付けていた。
【先行技術文献】
【特許文献】
【０００３】
【特許文献１】特開平１６−６８４２２
【非特許文献】
【０００４】
【非特許文献１】浅野金属工業株式会社  消雪ノズルカタログｖｏｌ６  ｐ２１
【非特許文献２】北越機械消雪工業株式会社  総合カタログ  ｖｏｌ１２  ｐ１２
【考案の概要】
【考案が解決しようとする課題】
【０００５】消雪ポンプを停止させることなく、消雪ポンプ運転時において、泥抜き作業を行う事ができる。
【課題を解決するための手段】
【０００６】形成されたプラグ側面に凹部を設ける事により、ドレン本体との間に空洞部が設けられ、通水路を確保することにより問題点を解決しようとするものである。
【考案の効果】
【０００７】上述の様に、本考案の排水ドレンはプラグ側面に凹部を設けた事によって通水路の確保ができ、プラグを取り外さず消雪ポンプの運転を一回で行う事ができる。
【図面の簡単な説明】
【０００８】
【図１】本考案の砂抜きプラグの上面図である。
【図２】本考案の砂抜きプラグの下面図である。
【図３】本考案の砂抜きプラグの側面図である。
【考案を実施するための形態】
【０００９】ドレン本体上部の天ゴムをはずし、専用工具（ドレンアタッチメント）を、プラグ上面の四角部分に挿入し、反時計廻りに回すものとする。また、プラグ側面に設けられている凹部を回転・上昇させる事により、泥抜きとしての通水路を確保できる。
【実施例】
【００１０】以下、添付図面に従って実施例を説明する。
１はステンレス鋼鋳鋼品（ＳＵＳ３０４相当品）によって形成されたドレン本体、２は天ゴム、３は砂抜きプラグ、４は専用工具差し込み口、５は砂抜きプラグ凹部、６は砂抜きプラグネジ部である。２を取り外した状態で、４の専用工具差込み口に専用工具を挿入し、反時計廻りに回転させる事によって上昇させ、５の砂抜きプラグ凹部を見い出し、通水路を確保する。
【符号の説明】
【００１１】１  ドレン本体
２  天ゴム
３  砂抜きプラグ
４  専用工具差込み口
５  砂抜きプラグ凹部
６  砂抜きプラグネジ部
【図１】
0003177505.tif 000003
【図２】
0003177505.tif 000004
【図３】
0003177505.tif 000005
【手続補正書】
【提出日】平成24年5月10日(2012.5.10)
【手続補正２】
【補正対象書類名】明細書
【補正対象項目名】０００２
【補正方法】変更
【補正の内容】
【０００２】従来は消雪ポンプ運転直前において、ドレン本体からプラグを一旦取り外し、送水パイプに通水し、泥等を放出して一度消雪ポンプを停止させて、プラグを取付けていた。
【手続補正３】
【補正対象書類名】明細書
【補正対象項目名】０００６
【補正方法】変更
【補正の内容】
【０００６】形成された砂抜きプラグネジ部側面に３若しくは４か所凹部を設ける事により、ドレン本体との間に空洞部が設けられ、通水路を確保する事により問題点を解決しようとするものである。
また、砂抜きプラグは樹脂製であり、凹部比率は砂抜きプラグ全体の円周に対して５０％から５５％、砂抜きプラグネジ部長さは４．５ｃｍから６．０ｃｍの範囲とする。
【手続補正４】
【補正対象書類名】明細書
【補正対象項目名】０００７
【補正方法】変更
【補正の内容】
【０００７】上述の様に、本考案の砂抜きプラグは砂抜きプラグネジ部側面に３若しくは４か所凹部を設けた事によって通水路の確保ができ、また砂抜きプラグネジ部の長さを４．５ｃｍから６．０ｃｍとする事により回転・上昇させても砂抜きプラグを取り外さず消雪ポンプの運転を一回で行う事ができる。
【手続補正５】
【補正対象書類名】明細書
【補正対象項目名】０００９
【補正方法】変更
【補正の内容】
【０００９】ドレン本体上部の天ゴムをはずし、専用工具（ドレンアタッチメント）を、砂抜きプラグ上面の専用工具差込み口に挿入し、反時計廻りに回すものとする。また、砂抜きプラグを回転・上昇させる事により、泥抜きとしての通水路を確保できる。
【手続補正６】
【補正対象書類名】明細書
【補正対象項目名】００１０
【補正方法】変更
【補正の内容】
【００１０】以下、添付図面に従って実施例を説明する。
１はステンレス鋼鋳鋼品（ＳＵＳ３０４相当品）によって形成されたドレン本体、２は天ゴム、３は砂抜きプラグ、４は専用工具差込み口、５は砂抜きプラグ凹部、６は砂抜きプラグネジ部である。２を取り外した状態で、４の専用工具差込み口に専用工具を挿入し、反時計廻りに回転させる事によって上昇させ、５の砂抜きプラグネジ部側面の凹部を見出し、通水路を確保する
【手続補正７】
【補正対象書類名】実用新案登録請求の範囲
【補正対象項目名】全文
【補正方法】変更
【補正の内容】
【実用新案登録請求の範囲】
【請求項１】
砂抜きプラグネジ部側面に３若しくは４か所凹部の形状を有する砂抜きプラグ。
(57)【要約】【課題】  本考案はシャワーキャップをキャスケット状にして塩素系洗剤を使用する際に頭髪を保護する。【解決手段】  本考案はネット付のシャワーキャップ１に布２を被せ、頭廻りをゴムで縫い合わせ３、着脱や髪の収納を楽にし、前方につば４を付けることにより見映えも良くし、液垂れから顔面を保護するとともに、キャスケット内に頭髪を収納することにより塩素系洗剤から頭髪の痛みを保護することに役立つ。【選択図】図１
0003177522.tif 000002
【実用新案登録請求の範囲】
【請求項１】
シャワーキャップに布をかぶせて縫い、キャスケット状にして、頭廻りはゴムとし、前方につばをつけてキャスケット状に仕上げた防塩素系洗剤用キャスケット
【考案の詳細な説明】
【技術分野】
【０００１】  本考案は、カビ取り剤等の塩素系洗剤使用時に、頭髪を塩素等の薬剤から保護するキャスケットに関するものである。
【背景技術】
【０００２】  塩素系洗剤を家庭で使用する者の頭髪は、その薬剤によって痛みがちであった。
【先行技術文献】
【特許文献】
【０００３】
【特許文献１】  特開平  １０−００１８１４号  公報
【考案の概要】
【考案が解決しようとする課題】
【０００４】  浴室のカビ取りや、換気扇の頑固な油落とし、トイレの洗浄の際使用する頻度の高い塩素系洗剤により、頭髪は痛められがちであった。頭髪を被い、塩素系洗剤から守るキャスケットを被ることにより、頭髪の痛みを防ぐことが可能となり前述の欠点を解決しようとするものである。
【課題を解決するための手段】
【０００５】  本考案は、ネット付のシャワーキャップの外側を布で被い、つばをつけて頭髪をすべてキャスケット内に入れることにより塩素系洗剤による害を防ぐとともに、掃除中でも見映え良く、且つ、つばにより液垂れからの顔面保護もできることにより問題点を解決している。
【考案の効果】
【０００６】  上述の様に、本考案の防塩素系洗剤用キャスケットは、塩素系洗剤によって痛みがちな頭髪を守ることができるとともに、つばをつけることにより見映えも良く、液垂れからの顔面保護もできるようにしている。
【図面の簡単な説明】
【０００７】
【図１】  本考案の防塩素系洗剤用キャスケット外観図である。
【図２】  本キャスケットの内側図である。
【考案を実施するための形態】
【０００８】  外側を被うキャスケットの形態は、頭髪をまとめて納めることができるようにギャザーを多くとり、その内容積をシャワーキャップの容積と同等とする。内側のシャワーキャップと外側のキャスケットをゴムで縫い合わせ、一体感のある仕上がりにすることにより、着脱が楽にできる形態となる。前方につばをつけて、キャスケットとしての外観を成立させる。
【実施例】
【０００９】以下、添付図面に従って一実施例を説明する。１は内側にネット付のシャワーキャップ、２はシャワーキャップを被う布で、１と２は、３のゴムの縫い合わせで一体となる。４のつばを付けることにより見映えも良く、液だれからの顔面保護が可能なキャスケットとなる。
【符号の説明】
【００１０】１  シャワーキャップ
２  布
３  ゴムの縫い合わせ
４  つば
【図１】
0003177522.tif 000003
【図２】
0003177522.tif 000004
(57)【要約】      （修正有）【課題】デザイン性を高め、また、おにぎりからの包装用シートの取り外しが容易に行えるおにぎり包装用シートを提供する。【解決手段】シート本体２の一部に折れ曲がり状の切り込み５が形成され、おにぎりの包装時におにぎり面に沿ってシート本体２が変形する際に、切り込み５間に位置する部分がシート本体２面から立ち上がる立ち上がり片となることを特徴とする。【選択図】図１
0003177525.tif 000002
【実用新案登録請求の範囲】
【請求項１】
シート本体の一部に折れ曲がり状の切り込みが形成され、おにぎりの包装時におにぎり面に沿って前記シート本体が変形する際に、前記切り込み間に位置する部分が前記シート本体面から立ち上がる立ち上がり片となることを特徴とするおにぎり包装用シート。
【請求項２】
前記シート本体がその表面に意匠模様を呈し、前記切り込み間に位置する部分が前記意匠模様の一部を形成する請求項１記載のおにぎり包装用シート。
【請求項３】
前記立ち上がり片がおにぎり取り出すための前記シート本体切断用の持ち片となる請求項１記載のおにぎり包装用シート。
【考案の詳細な説明】
【技術分野】
【０００１】  この考案はおにぎりの包装用シートに関する。
【背景技術】
【０００２】  例えば、最近においては家庭用のおにぎり包装用シートが提供され、家庭において作ったおにぎりがそのシートに包装されて幼児等のお弁当用等として用いられる。したがって、幼児等が楽しく食することができるようにそのシートの表面には動物等種々のデザイン模様が施されている。また、包装用シートは食する際に固定したテープやひもを外して開かれるようになっている。
【考案の概要】
【考案が解決しようとする課題】
【０００３】  この考案では、おにぎり包装用シートのデザイン性を高め、また、おにぎりからの包装用シートの取り外しが容易に行えるようにすることを目的とする。
【課題を解決するための手段】
【０００４】  この考案では、シート本体の一部に折れ曲がり状の切り込みが形成され、おにぎりの包装時におにぎり面に沿って前記シート本体が変形する際に、前記切り込み間に位置する部分が前記シート本体面から立ち上がる立ち上がり片となることを特徴とするおにぎり包装用シートを提供する。【０００５】  上記構成のおにぎり包装用シートによりおにぎりを包装すると、おにぎり面に沿ってシート本体が変形する際に切り込み間に位置する部分がシート本体面から立ち上がる立ち上がり片となる。この考案のおにぎり包装用シートは、家庭で弁当用等に用いられるもの、市販のおにぎりの包装に使用されるもの等の全ての形態のものに適用される。シート本体はプラスチック、紙等適宜の材料によって形成されればよいが、若干厚みのあるものを使用することで立ち上がり片の立ち上がりが良好に行われる。【０００６】  シート本体がその表面に意匠模様を呈し切り込み間に位置する部分が意匠模様の一部を形成する構成とすることで、おにぎり包装用シートにおにぎりが包装されると意匠模様面が立体的に湾曲し、さらに意匠模様を持つ立ち上がり片が立ち上がり、全体がきわめて立体感に優れるものとなる。この意匠性に優れて楽しいおにぎり包装用シートは、とくに家庭での弁当用等として好適に用いられる。意匠模様はシート本体の表面に直接形成されてもよく、また、透明層で覆われて形成されてもよい。【０００７】  立ち上がり片がおにぎりを取り出すためのシート本体切断用の持ち片とされて使用されることで、おにぎりの取り出しが容易になされる。
【考案の効果】
【０００８】  この考案のおにぎり包装用シートを使用することで、立体的な意匠性に優れるおにぎりの包装体が得られ、これにより幼児等がそれを楽しみとしておにぎりを食することができるようになる。また、立ち上がり片を使用しておにぎりの取り出しが容易にできるようになり、これにより、幼児や高齢者に便利なおにぎりの包装体が得られる。
【図面の簡単な説明】
【０００９】
【図１】  この考案のおにぎり包装用シートの実施形態の開き状態の表面側正面図
【図２】  この考案のおにぎり包装用シートの実施形態の使用状態を示す斜視図
【図３】  この考案のおにぎり包装用シートの実施形態の使用状態を示す一部切欠き断面図
【考案を実施するための最良の形態】
【００１０】  図１はこの考案のおにぎり包装用シートの実施形態の開き状態の表面側正面図である。おにぎり包装用シート１は平面形状が正方形の半透明で若干厚みのあるプラスチックシートよりなり、シート本体２の表面側の略中央位置には意匠模様である「ねこの顔」３が付されている。「ねこの顔」３の外郭より突出する「耳」４それぞれを形作る位置には切り込み５それぞれが形成されている。切り込み５それぞれは「耳」４を形作るべく途中で折れ曲がって、すなわち、略逆Ｖ型に形成されている。６はシート本体２の裏面側に貼り付けられて取り付けられたカバーシートであり、カバーシート６は「耳」４それぞれに相対する位置に設けられている。【００１１】  図２はおにぎり包装用シート１の使用状態を示す斜視図、図３は同一部切欠き断面図である。裏面側を上としたおにぎり包装用シート１の「猫の顔」３の裏面位置に丸く作ったおにぎり７を置いてその全体を包み込み、収束した端部８を固定具９で固定しておにぎり７を包装することでおにぎりの包装体１５が得られる。【００１２】  上記の包装に際しては、おにぎり７面に沿ってシート本体２の全体が外方に湾曲して変形するが、切り込み５それぞれが折れ曲がり状であるのでその間部分である「耳」４それぞれは直線状態を維持することで立ち上がって立ち上がり片１０それぞれとなる。「耳」４それぞれが立ち上がり片１０それぞれとなることで立ち上がった後には開口１３それぞれが形成されるが、その開口１３はカバーシート６により閉ざされ、おにぎりの包装体１５内部に埃等が侵入することが防がれる。【００１３】  おにぎりの包装体１５は、おにぎり包装用シート１におにぎり７が包装されることで「猫の顔」３面が外方に突出して湾曲し、さらに立ち上がり片１０それぞれによる「耳」４それぞれが立ち上がって位置することで、きわめて立体的なものとなって実際の「猫の顔」に近いものとなる。【００１４】  また、立ち上がり片１０を持っておにぎり包装用シート１を切断することで容易におにぎり７が取り出される。従来においては切断の際の持ち片は自分で立ち上げる必要があり、幼児や高齢者には難しかった。
【符号の説明】
【００１５】１    おにぎり包装用シート
２    シート本体
３    「猫の顔」（意匠模様）
４    「耳」
５    切り込み
１０  立ち上がり片
【図１】
0003177525.tif 000003
【図２】
0003177525.tif 000004
【図３】
0003177525.tif 000005
(57)【要約】      （修正有）【課題】プレス生産による開口部の広い製品を洗浄する際に固定する治具で、接触傷や変形を抑え、製品の品質も保証できる洗浄治具を提供する。【解決手段】金属枠とセルで構成される洗浄治具で、レールに差し込んでいくセルにより製品を挟み込んで固定させる。固定は両側のレールをセルと製品で満たした時に、ロックブロックを回すことにより行う。セルを製品の大きさに合わせて必要分使用する。また、材質を有機ガラスとする。【選択図】図１
0003177524.tif 000002
【実用新案登録請求の範囲】
【請求項１】
この洗浄治具は金属枠とそれにはめ込んでいくセルからなり、金属枠はレール２本を連結プレートでつなげて固定し、一方の連結プレートにはロックブロックを備え、セルは各レールに差し込めるように孔を備え、製品を挟む切り込み部を設け、各レールにセルを差し込んでいき、各間の切り込み部に洗浄する製品を開口部内側から吊り下げるようにして順に挟み、セルと製品をレールに埋めた状態で、手前のロックブロックをそれぞれ水平から直角に回してセルを固定し、使用するセルの数量を調整することで、製品の大きさや数に合わせるようにしたことを特徴とする洗浄治具。
【請求項２】
上記セルの材質を耐高温の有機ガラスとしたことで使用可能回数が増し、製品の傷や変形を緩和し、品質の向上を実現する請求項１記載の洗浄治具。
【考案の詳細な説明】
【技術分野】
【０００１】本考案はプレス生産によるフレーム、ベゼル等の製品を洗浄する際に使用する治具に関するものである。
【背景技術】
【０００２】板金製品には、プレス製造やねじ穴加工の過程で工作油や汚れが付着するため、必ず洗浄を行い、油分や汚れを除去しなければならない。炭化水素やアルカリ水による浸漬式の洗浄機で部品を洗浄する場合、超音波や搖動により周りの製品と接触して傷つける恐れがあるため、治具を作ってしっかり固定させる。その治具は鉄製のため使用可能期間が短く、製品の形状が変わるごとに新たに作るため、コストがかかる。
【先行技術文献】
【特許文献】
【０００３】
【特許文献１】特開平８−３７２２８
【考案の概要】
【考案が解決しようとする課題】
【０００４】開口部のあるフレームやベゼルといった製品を的確に洗浄するのには、できる限り製品の表面を覆わないようにして、揺れないように固定するのが望ましい。この点を踏まえたうえで、汎用性のある治具を使用して効率を上げ、製品の品質も保証できるようにする。
【課題を解決するための手段】
【０００５】本考案の洗浄治具は、金属枠とセルで構成される洗浄治具で、レールに差し込んでいくセルにより製品を挟み込んで固定させる。固定は両側のレールをセルと製品で満たした時に、ロックブロックを回すことにより行う。セルを製品の大きさに合わせて必要分使用するため、汎用性の高い生産が行える。【０００６】本考案の洗浄治具は、セルの材質を有機ガラスとしたため、接触傷や変形を抑えることにより製品の品質も向上できる。
【考案の効果】
【０００７】本考案の洗浄治具は金属枠にセルを必要な分、継ぎ足して製品を固定するため、機種が異なりサイズが変わっても対応できる。また、鉄製に比べて使用可能期間がかなり長くなり、もし有機ガラスのセルが破損したとしても、交換するのはその部分だけでよいのでコストが抑えられる。
汎用性が高いため、生産効率が高まり、傷や変形を防ぐことによる製品品質も向上できる。
【図面の簡単な説明】
【０００８】
【図１】本考案の洗浄治具の構成
【図２】本考案の洗浄治具側面拡大図
【図３】本考案の洗浄治具平面図
【考案を実施するための形態】
【０００９】図１は、本考案の洗浄治具の構成を表す。
この図で示すように、本考案の洗浄治具１は、枠状の開口部のあるフレームやベゼルといった製品の一辺を内側から専用のセル１２によって挟み込み、固定するものである。
この洗浄治具１は金属枠１１とそれにはめ込んでいくセル１２でできている。このうちの金属枠１１はレールＡ（１１１）とレールＢ（１１２）を連結プレート１１５でつなげて固定する構造となっており、一方の連結プレートにはロックブロックＡ（１１３）とロックブロックＢ（１１４）が取り付けてある。セル１２は各レールに差し込んでいく構造で、一面に切り込み部１２１を設けてあり、そこに製品の正面を挟むようになっている（図２参照）。
以下に本考案の洗浄治具の使用手順を示す。
レールＡ（１１１）とレールＢ（１１２）にセル１２を差し込んでいき、各間の切り込み部１２１に洗浄する製品２を開口部内側から吊り下げるようにして順に挟む。この際、挟む部分は製品が変形したり振りほどかれたりしないような強固な個所とする。セル１２と製品２がレールを埋めるように調整し、手前のロックブロックＡ（１１３）とロックブロックＢ（１１４）を水平から直角に回して一番手前のセル１２に当てて固定する。このセル１２の材質は有機ガラスで、製品に傷がつきにくく、耐久性も高い。
図３はセル１２を満たしてロックした状態を表しており、描いてないが実際は各セル間に製品を必要分挟み込んで洗浄を行う。
【産業上の利用可能性】
【００１０】本考案の洗浄治具により、洗浄作業の効率を高め、高品質に生産を行うことができる。
【符号の説明】
【００１１】  １  洗浄治具
１１  金属枠
１１１  レールＡ
１１２  レールＢ
１１３  ロックブロックＡ
１１４  ロックブロックＢ
１１５  連結プレート
１２  セル
１２１  切り込み部
２  製品
【図１】
0003177524.tif 000003
【図２】
0003177524.tif 000004
【図３】
0003177524.tif 000005
(57)【要約】      （修正有）【課題】名刺に月日に印が記録され対面者双方の手間を省き、正確な名刺の管理ができ、後に記憶を辿ることなく交換日を確認する事ができる日付印刷名刺を提供する。【解決手段】平面四角形状からなる名刺１の上下左右４辺を利用し、数字の数で名刺１の短い辺に１〜１２の月数字３、長い辺に１〜３１の日数字４を表示し、名刺１の任意の余白部分に年数字２をそれぞれ印刷した名刺であって、あらかじめ名刺用紙に年月日を印刷されている事に依り、その用紙に会社名、氏名、住所等を印刷、使用する日にそれぞれ月数字、日数字に印を付ける事で交換日が記録され対面者双方の手間を省き、正確な名刺管理ができ、後に対面者の記憶を辿ることなく交換日を確認する事ができる。【選択図】図１
0003177521.tif 000002
【実用新案登録請求の範囲】
【請求項１】
本考案は平面四角形状からなる名刺（１）の上下左右４辺を利用し、数字の数で名刺（１）の短い辺に１〜１２の月数字（３）、長い辺に１〜３１の日数字（４）を表示し、名刺（１）の任意の余白部分に年数字（２）をそれぞれ印刷した名刺である。
【考案の詳細な説明】
【技術分野】
【０００１】本考案は、ビジネス社会に於いて、名刺の交換時にこの日付印刷名刺にて月日に印を付ける事に依り、対面者双方に記録を残すものである。
【背景技術】
【０００２】従来、ビジネス社会に於いて、対面者双方が名刺交換しても日付等の記録がない為、他の手段、主に手書等で記入するか、後に記憶を辿るかで顧客の管理が不確定であった。なお、複数の円周に凸ゴム印を施した円柱盤を内蔵したくの字に開閉するハウジングで、くの字の下部にインクパッドを設けた名刺用日付印が知られている。（特許文献１参照）
【先行技術文献】
【特許文献】
【０００３】
【特許文献１】  特許公開  ２００７−１１２１０３
【考案の概要】
【考案が解決しようとする課題】
【０００４】従来、ビジネス社会に於いて対面者双方が名刺交換しても日付等の記録がない為、他の手段、主に手書等で記入するか後に記憶を辿るかで顧客の名刺管理が不確定であった。本考案は以上の問題点を解決する為になされたものである。
【課題を解決するための手段】
【０００５】本考案は名刺の上下左右４辺のいずれかに年月日を表す数字をあらかじめ印刷してある名刺である。
【考案の効果】
【０００６】本考案の日付印刷名刺を使用する毎に、名刺の数字に印を付ける事に依り，交換日が記録され対面者双方の手間を省き、正確な名刺管理ができ、後に記憶を辿ることなく交換日を確認する事ができる。
【図面の簡単な説明】
【０００７】
【図１】  本考案の平面図
【図２】  本考案の使用状態を示す平面図
【考案を実施するための形態】
【０００８】本考案の実施の形態を下記に説明する。
本考案は平面四角形状からなる名刺（１）の上下左右４辺を利用し、数字の数で名刺（１）の短い辺に１〜１２の月数字（３）、長い辺に１〜３１の日数字（４）を表示し、名刺（１）の任意の余白部分に年数字（２）をそれぞれ印刷した名刺である。
【実施例】
【０００９】本考案を使用するときは、本考案日付印刷名刺（１）に従来通りの会社名、氏名，住所等（５）を印刷し、使用時に月日数字に印（６）を付ける。
【符号の説明】
【００１０】（１）名刺、（２）年数時、（３）月数字、（４）日数字、（５）会社名等、（６）印使用例、
【図１】
0003177521.tif 000003
【図２】
0003177521.tif 000004
(57)【要約】      （修正有）【課題】センサーがドアや扉の開いた事を検知してから一定時間、警告を作動させずに待機し、規定の時間開けっ放しだった時だけ警告する閉め忘れお知らせ装置を提供する。【解決手段】面ファスナー、ワンタッチテープや両面テープを本体ケース１所定の位置に備え、本体ケース１外部に突出した稼働スイッチ２の可動操作子と本体内部に設けられた前記可動操作子に連動して動作するタイマー回路３とタイマーが規定の時間を過ぎると、アラーム発生回路４に電気を送り作動させる各配線を設ける。さらに、アラーム発生装置内のアラーム発生回路４からの信号により警告手段、例えば音声を発するスピーカー５とからなり、可動操作子１が突出した時にタイマー３の電源回路が作動し、所定時間経過後にアラーム発生回路４が作動するようにした。【選択図】図１
0003177536.tif 000002
【実用新案登録請求の範囲】
【請求項１】
面ファスナー、ワンタッチテープや両面テープを本体ケース１所定の位置に備え、本体ケース１外部に突出した稼働スイッチ２の可動操作子と本体内部に設けられた前記可動操作子に連動して動作するタイマー回路３とタイマーが規定の時間を過ぎると、アラーム発
生回路４に電気を送り作動させる各配線とそのアラーム発生装置４内のアラーム発生回路からの信号により警告手段、例えば音声を発するスピーカーとからなり可動操作子１が突出した時にタイマー３の電源回路が作動し、所定時間経過後にアラーム発生回路４が作動するようにしたことを特徴とする閉め忘れお知らせ装置。
【請求項２】
請求項１の装置において、タイマーの時間が調節できる事を特徴とするもの。
【請求項３】
請求項１の装置において、警告をアラーム音や音声合成装置による音声によるもの、また数種類の中から選択できたりその音量を変える事により、いっそう、使用場所に合った使用が出来る事を特徴とするもの。
【請求項４】
請求項１の装置において、耳の不自由な使用人に対し、アラーム音or音声ではなく、表２、表３に示した光や振動による伝達手段を供えた事を特徴とするもの。
【考案の詳細な説明】
【技術分野】
【０００１】
本考案は、ドア・扉等の閉め忘れを知らせる装置に関するものである。
【背景技術】
【０００２】
既存のアラーム装置は、ドアや扉が開いた瞬間にスイッチが入り警報が鳴り出すもしか無く（参考文献  特願２００７−１０５０４２（Ｐ２００７−１０５０４２）、また、時間が経つとアラームが鳴る物においては装置が搭載された冷蔵庫などがある（参考文献  特願２００４−１８９１９６（Ｐ２００４−１８９１９６）
【０００３】
しかし、使用したい場所に任意に取り付けることができる簡易装置は無かった。
【０００４】
普通、住宅の中や事務所内等において通常の開け閉めでアラームが鳴ったのでは、都合が悪い。通常の開け閉めにおいては、反応することｊ無く、一定時間以上開けっ放しになった場合にのみその周囲にいる当事者にその事を知らせる事が望まれる。
【０００５】
この改善策として、センサーがドアや扉の開いた事を検知してから一定時間、警告を作動させずに待機し、規定の時間開けっ放しだった時だけ警告する事によってドアや扉を開けた本人に知らせるのが望ましい。
【先行技術文献】
【特許文献】
【０００６】
【特許文献１】特願２００４−１８９１９６（Ｐ２００４−１８９１９６）特願２００７−１０５０４２（Ｐ２００７−１０５０４２）
【考案の概要】
【考案が解決しようとする課題】
【０００７】
解決しようとする問題点は、自分で開けたドアや扉を開けっ放しにして空調の電気代を余分にかけたり、トイレのドアを閉め忘れる事で他の人に不快な思いや不快な臭いを与えない事。また、軽い健忘症や痴呆症、脳障害者に於いて、ドアを閉め忘れた後に来る「また、忘れてしまった。」「また、できなかった。」と言う自己嫌悪感から自力で回避できる手助けになる事である。
【課題を解決するための手段】
【０００８】
日常の生活に一切支障を与えることなく、ドアや扉の閉め忘れがあった時だけ忘れてしまった本人に知らせる事を最も主要な特徴とする。
【考案の効果】
【０００９】
本考案の装置は、安価に誰でもが、気軽にどこにでも取り付ける事の出来る簡易型警告装置で健常者は勿論の事、障害者やその家族が気付きたい場所、また気付かせたい場所にも工事をする事なく、簡単に取り付ける事ができるという利点がある。
【図面の簡単な説明】
【００１０】
【図１】図１は装置の簡易作成例を示した説明図である。
【図２】図２は装置を扉に付ける事を前提とした取り付け場所の一例を示した説明図である。
【図３】図３は、襖に取り付ける場合の取付位置例である。
【考案を実施するための形態】
【００１１】
本考案により、日常の「うっかり」や「やったつもり」の失敗を大変な手間隙や出費を要する事無く自分が気付く事で解決できる。
【００１２】
使用人に合った時間設定が出来たり、取付位置や何を忘れたのかを再確認出る為の音声による案内が出来たりその音量を使用人の聴力に合せる事により、より確実に使用人に知らせる事が出来る。
【実施例】
【００１３】
図１は、本発明装置の１実施例の断面図であって、最小限の部品点数によって作成されたものである。
【００１４】
図２は、ドアに取り付ける際の１実施例である。ドアには、必ず、方立や枠に戸当たりがあるのでそこへ付けるのが一番容易である事を示す。
【００１５】
図３は、襖に取り付ける際の１実施例である。襖には、必ず、枠があるのでそこへ付ける事で障子紙を傷める事も無く、一番容易である事を示す。
【００１６】
図２及び図３の取り付け例は、ドアや扉に対して取り付けに自由度があることを示す。取り付け方法は、両面テープや面ファスナー、ワンタッチテープなど、どこの一般家庭においても容易に手に入るもので行え誰でも取り付けや付け替えが簡単に出来る。
【産業上の利用可能性】
【００１７】
普段、可動させる、元に戻す事を前提とした部位、部品に対して容易に取り付ける事が出来ることにより、一定時間内に戻し忘れをする事を防ぎ、その後の大きなミスや損失につながる心配を未然に排除できる。
【図１】
0003177536.tif 000003
【図２】
0003177536.tif 000004
【図３】
0003177536.tif 000005
(57)【要約】      （修正有）【課題】掛け布団の足元部の固定と、足元部の布団内空間を確保する掛け布団固定式アンカを提供する。【解決手段】アンカ（二）の丈を高くし掛け布団受け板（ロ）と布団固定器を付けたことにより、掛け布団を固定することで掛け布団のズレや捲れを無くし、また足先に空間を作ることで重みと纏わりを取り除け、自由な姿勢を確保することにより快眠を促進させることができる。【選択図】図１
0003177537.tif 000002
【実用新案登録請求の範囲】
【請求項１】
アンカの１側面の丈を高くし頂辺に添って上面に掛け布団受け板を付け、対向側面を低くして布団固定器の基軸部分を接合させ、下部に垂直に柱板を付け、底辺からアンカ下方向に土台を付けたことを特徴とする掛け布団固定式アンカ。
【考案の詳細な説明】
【技術分野】
【０００１】
本考案は、掛け布団の足元部の固定と、足元部の布団内空間を確保する掛け布団固定式アンカに関するものである。
【背景技術】
【０００２】
従来のアンカは、足元を暖める為だけの物である。本考案は、足先の安定の確保と掛け布団を固定させる今までの技術思考を超えるものである
【先行技術文献】
【特許文献】
【０００３】
【特許文献１】実用新案出願平５−６８０５１
【考案の概要】
【考案が解決しようとする課題】
【０００４】
掛け布団の就眠位置からのズレや捲れによる寝冷えと、重さと纏わりによる不快感と寝苦しさの解決。
【課題を解決するための手段】
【０００５】
本考案は、掛け布団の足元部をアンカの上部に付けた布団固定器で挿み固定し、足元部の掛け布団が捲れず、ズレない状態にすることと、アンカの丈を高くし上に掛け布団受け板を付けることで布団内空間を作り、就眠状態の足首から爪先までの自由な動きの確保と布団の重さと纏わりを解放させる。
【考案の効果】
【０００６】
本考案は、掛け布団の下部を固定することで、就眠時の足蹴りによる掛け布団の移動や捲れを無くせる。またアンカの丈を高くし上に掛け布団受け板を付けることで布団内空間ができ、足首から爪先部を布団の重さと纏わりから解放させる事が出来て快眠を促進させる。
【図面の簡単な説明】
【０００７】
【図１】掛け布団固定式アンカの斜面図である。
【図２】掛け布団固定式アンカの平面図である。
【図３】掛け布団固定式アンカの側面図である。
【図４】掛け布団固定式アンカの断面図である。
【図５】布団固定器である。
【考案を実施するための形態】
【０００８】
掛け布団固定式アンカは、アンカの土台部をベットマット又は敷き布団の足元下に入れ、布団固定器で掛け布団を挿み固定させる。
【実施例１】
【０００９】
掛け布団を掛け布団固定式アンカに被せて布団固定器に挿み固定し、掛け布団がアンカの高さと掛け布団受け板により足元部が浮き上がり、中に空間ができて自由な足の動きと姿勢を確保する。
【符号の説明】
【００１０】
（イ）布団固定板
（ロ）掛け布団受け板
（ハ）土台
（ニ）アンカ  
（ホ）バネ内臓基軸部
【図１】
0003177537.tif 000003
【図２】
0003177537.tif 000004
【図３】
0003177537.tif 000005
【図４】
0003177537.tif 000006
【図５】
0003177537.tif 000007